(57)【特許請求の範囲】
【請求項１】
非磁性体からなる収容体と、該収容体に内包され該収容体内を移動可能に封入された磁石とを具備する第１の収容体と、同じく非磁性体からなる収容体と、該収容体に内包され該収容体内を移動可能に封入された磁石とを具備する第２の収容体とを備え前記第１及び第２の収容体同士が自在接合して構成される接合装置において、前記第１および第２の収容体に内包される磁石の磁力線が前記自在接合装置の接合する接合面に対して略垂直になるよう前記磁石を封入することを特徴とする自在接合装置。
【請求項２】
請求項１記載の自在接合装置において、前記第１及び第２の収容体の外形を円筒形にすることを特徴とする自在接合装置。
【請求項３】
請求項２記載の自在接合装置において、前記第１及び第２の収容体中に封入される磁石の外形を円筒形とし、磁力線の向きが前記円筒形の中心軸に対して略垂直になっていることを特徴とする自在接合装置。
【請求項４】
請求項１記載の自在接合装置において、前記第１及び第２の収容体の外形を多角形にすることを特徴とする自在接合装置。
【請求項５】
請求項１乃至３のうちいずれか１項記載の自在接合装置において、前記第１及び第２の収容体に取付部材を付加することを特徴とする自在接合装置。
【請求項６】
請求項１乃至４のうちいずれか１項記載の自在接合装置において、前記第１及び第２の収容体の外形寸法が適合する中空の非磁性体容器と組み合わせ可能であることを特徴とする自在接合装置。
【請求項７】
請求項１乃至５のうちいずれか１項記載の自在接合装置において、前記第１及び第２の収容体を水密構造にすることを特徴とする自在接合装置。
【発明の詳細な説明】
【技術分野】
【０００１】
本発明は、永久磁石の磁力により、自在に接合を行なう自在接合装置に関するものである。
【背景技術】
【０００２】
店舗の間仕切りや展示会の展示ブース、災害時の避難所の間仕切りは恒久的に設置するものではなく、状況に応じて変更するため、設置方法が容易である必要がある。
【０００３】
また、設置の自由度、すなわち間仕切り板相互の角度等が自由に（或いはフレキシブルに）設定できることが望ましい。
【０００４】
特許文献１には、間仕切り板をＬ型やＴ型、Ｘ型の溝型継ぎ手によって設置する技術思想が開示されている。ボルトやビス等の止め金を使わず組立分解を容易にした点で注目すべき着想であるが、間仕切り板の接合は９０度或いは１８０度に限定されており、自由な角度に接合する場合はその角度にあった溝型継ぎ手を作らなければならない。
【０００５】
また、特許文献１においては間仕切り板を上下の溝型継ぎ手の圧着力で接合しているため、間仕切り板に斜めの力が作用した場合は、溝型継ぎ手が外れて間仕切り板が倒れてしまう恐れがある。
【０００６】
一方、特許文献２においては、間仕切り板の端面に角穴を穿設し、特別の楔形ガイドとボルトにより２枚の間仕切り板を接合する技術思想が開示されている。この技術を用いれば多少の力が加わっても接合が外れてしまうような恐れは無いが、間仕切り板に加工が必要であり、接合にはガイドの嵌め込み、ボルトの締め付け等大変手間がかかってしまう。
【０００７】
また、特許文献２においては特許文献１と同様、間仕切り板の接合が９０度或いは１８０度に限定されてしまう。
【先行技術文献】
【特許文献】
【０００８】
【特許文献１】特開２００３−４９５０２号公報
【特許文献２】特開平９−２５６５１７号公報
【発明の概要】
【発明が解決しようとする課題】
【０００９】
上記のような背景技術に鑑み、店舗の間仕切りや展示会の展示ブース、災害時の避難所の間仕切りを容易に設置でき、間仕切り板の相互の設置角度を自由に設定できる自在接合装置の実現が課題である。
【課題を解決するための手段】
【００１０】
上記課題を解決するべく本発明に係る自在接合装置は、非磁性体からなる収容体と、該収容体に内包され該収容体内を移動可能に封入された磁石とを具備する構成とした（請求項１）。
【００１１】
また、収容体を非磁性体封入容器とし、該容器の内部に封入する磁石の磁力線が、自在接合装置が接合する接合面に対して略垂直になるように磁石を封入する構成とした（請求項２）。
【００１２】
さらに、収容体は非磁性体封入容器とし、該容器の内部に封入する磁石の磁力線が、自在接合装置が接合する接合面に対して略平行になるように封入し、この磁石の磁化方向が変わらないような非磁性体封入容器構造とした（請求項３）。
【００１３】
自在接合装置を、収容体もしくは非磁性体封入容器の外形を円筒形にして任意の角度で自在接合できる構成とした（請求項４）。
【００１４】
自在接合装置において、収容体もしくは非磁性体封入容器の外形を多角形にすることで、接合面が平面の場合には、接合力を円筒形よりも強くすることができる構成とした（請求項５）。
【００１５】
自在接合装置において、収容体もしくは非磁性体封入容器に取付部材を付加する構成とした（請求項６）。
【００１６】
自在接合装置において、収容体もしくは非磁性体封入容器の外形寸法が適合する中空の非磁性体容器と組み合わせ可能な構成とした（請求項７）。
【００１７】
自在接合装置において、収容体もしくは非磁性体封入容器を水密構造にする構成とした（請求項８）。
【発明の効果】
【００１８】
従来、間仕切り板の設置は手間がかかり、間仕切り板同士の接合設置角度を任意に設定することは難しかった。しかし、本発明に係る自在接合装置を用いれば、磁石の磁力によって間仕切り版同士を接合するため、なんら特殊な工具を使用せず接合することができる。更に、間仕切り板相互の接合設置角度を任意に設定できるため状況に応じた間仕切りができる。この機能によって、効率的なオフィス構成を行うことができる。さらには、展示場での間仕切り板レイアウトを自由かつ容易に行え、展示効果を高めることができる。
【００１９】
上記背景技術の項で説明したように、従来の接合装置では接合部に無理な力が加わった場合には接合装置が外れたり破壊したりする恐れがあったが、本発明に係る自在接合装置は、ネオジウム磁石のような強力磁石の磁力によって接合を行っているため、接合部に無理な力が加わっても接合部が若干ずれるだけで本発明に係る自在接合装置が破壊することはない。
【００２０】
また、本発明に係る自在接合装置は非常に広範囲の応用が考えられ、丁番に代わる装置として用いたり、任意の角度に設定できる看板や案内板の支持具、また水密構造にすることにより錆びる心配の無い丁番機構等にも応用できる。
【図面の簡単な説明】
【００２１】
【図１−１】本発明に係る自在接合装置の構造概略図である。
【図１−２】本発明に係る自在接合装置の断面図である。
【図１−３】本発明に係る自在接合装置を間仕切り板の接合に用いる場合の説明図である。
【図１−４】本発明に係る自在接合装置を間仕切り板の接合に用いる場合の説明図である。
【図２−１】本発明に係る自在接合装置の封入磁石の磁化方向、磁力線方向を示す図である。
【図２−２】本発明に係る自在接合装置の封入磁石の磁化方向、磁力線方向を示す図である。
【図２−３】本発明に係る自在接合装置による接合状態を表す説明図である。
【図３−１】本発明に係る自在接合装置の封入磁石の磁化方向、磁力線方向を示す図である。
【図３−２】本発明に係る自在接合装置の封入磁石の磁化方向、磁力線方向を示す図である。
【図３−３】本発明に係る自在接合装置による接合状態を表す説明図である。
【図３−４】本発明に係る自在接合装置を逆に接合しようとした場合の説明図である。
【図４−１】本発明に係る自在接合装置の磁石形状、封入容器形状のいろいろの例を示す図である。
【図４−２】本発明に係る自在接合装置の磁石形状、封入容器形状のいろいろの例を示す図である。
【図４−３】本発明に係る自在接合装置の磁石形状、封入容器形状のいろいろの例を示す図である。
【図４−４】本発明に係る自在接合装置の磁石形状、封入容器形状のいろいろの例を示す図である。
【図４−５】本発明に係る自在接合装置の磁石形状、封入容器形状のいろいろの例を示す図である。
【図５−１】本発明に係る自在接合装置の取り付け部構造の一例を示す図である。
【図５−２】本発明に係る自在接合装置の取り付け部構造の他の一例を示す図である。
【図６−１】本発明に係る自在接合装置を長尺の間仕切り板に取り付ける場合、間隙を埋めるための空の容器と本発明に係る自在接合装置の取り付けについての説明図である。
【図６−２】本発明に係る自在接合装置を長尺の間仕切り板に取り付けた概略図である。
【図７−１】本発明に係る自在接合装置に表示板を取り付けた場合の概略図である。
【図７−２】本発明に係る自在接合装置による表示装置をスチール棚に磁力接合させた場合の概略図である。
【図８】本発明に係る自在接合装置を石鹸箱の丁番に応用した場合の概略図である。
【発明を実施するための形態】
【００２２】
以下、図面を参照して本発明の実施形態を説明する。なお、以下では本発明の目的を達成するための説明に必要な範囲を模式的に示し、本発明の該当部分の説明に必要な範囲を主に説明することとし、説明を省略する箇所については公知技術によるものとする。
【００２３】
図１−１は、本発明に係る自在接合装置１の一実施例の構成を示した図である。強力永久磁石１０は非磁性体材料で作られた容器１１に封入されている。
【００２４】
図１−２は、本発明に係る自在接合装置の一実施例の断面図であり、磁石１０は容器１１の中で固定されておらず、磁石１０の外形より大きい容器１１の内部を自由に移動できる。
【００２５】
図１−３、１−４は、本発明に係る自在接合装置の一実施例を間仕切り板１２、１３に取り付けて、間仕切り板１２、１３を自在に接合させる場合の接合部分説明拡大図である。図１−３では間仕切り板１２と１３を同一平面になるよう接合している場合で自在接合装置の容器１１ａの中の磁石１０ａと容器１１ｂの中の磁石１０ｂは磁力で引かれあい、容器１１ａ、１１ｂ同士が接触する内部壁にぴったり移動しその磁力で間仕切り板１２と１３を接合する。この場合磁石１０ａ、１０ｂの磁力の向きは適宜設定する（詳しくは後述する）。
【００２６】
図１−４は、間仕切り板１２と１３とを角度αで接合した場合の接合状態を表す図であり、磁石１０ａと１０ｂはそれぞれの磁石容器１１ａと１１ｂ内で最も接合磁力が強くなる位置に移動し間仕切り板１２、１３をしっかり接合する。この様に本発明に係る自在接合装置を用いれば間仕切り板を任意の角度で自在に接合することができる。
【００２７】
図２−１は、本発明に係る自在接合装置の実施例の一つである、磁石１０の磁化方向が図２−２の如く容器１１の壁に対して垂直になるように封入した場合を示す図である。かくの如くすると、本発明に係る自在接合装置を２個、図２−３のように接合した場合、接合力は最も強くなる。
【００２８】
一方、磁石１０の磁化方向を図３−１、図３−２に示すように、容器１０の壁面に磁力線の方向が平行で、かつ磁化方向が変化しないように封入した場合、
即ち図３−１において磁石１０が上下逆にならないように容器１１に封入した場合は、図３−３の如く磁石１０の磁化方向が逆になるよう接合したときがもっとも接合力が強くなる。
【００２９】
しかし、図３−４の如く磁石１０の磁化方向が同じ場合は、磁石１０は反発しあうため接合することは無い。この特性を逆に生かして間仕切り板の上下逆の誤接合を防止することができる。即ち、これは、取付・設置の作業性向上をもたらす。
【００３０】
上記までの説明では、磁石１０と容器１１の形状を分かりやすい円筒形として説明してきたが、図４−１〜図４−５に一例を示す如く、磁石１０と容器１１の形状は円筒形に限らず、使用状態に応じた最適な形状として各種形状を採用しても良い。これらの変形は本発明の思想範疇に含まれるものである。
【００３１】
図５−１、図５−２は、本発明に係る自在接合装置の取り付け部分についての説明図である。図５−１では間仕切り板への取り付けを差し込み式にした例である。また、図５−２は間仕切り板への取り付けをネジ止めで行う例である。これら以外にも種々取付部材の変化が考えられるが、これらはすべて本発明の思想範疇に含まれるものである。さらに、取付部材を取付けるべき構造体と一体成型品とすることも同じく本発明の思想範疇である。
【００３２】
図６−１は、磁石封入容器１１ｃを外形寸法が同じの空の容器１１ｄと結合可能な構造にすることにより、磁石封入の自在接合装置を複数使用する場合、図６−２の如く間隙を埋めることができる。なお、図６−２の斜線部に本発明に係る自在接合装置を用いている例である。
【００３３】
上記までの説明では、本発明に係る自在接合装置同士を用いて接合する場合について説明してきたが、図７−１、図７−２に示すごとく本発明に係る自在接合装置１を単独で使用することもできる。たとえば図７−１に示されるように本発明に係る自在接合装置の取り付け部を延設して表示板７０とし、図７−２の如くスチール棚７１のような磁性体に磁力接合させて看板とすることもできる。この場合本発明に係る自在接合装置１の容器外形を円筒形とすれば任意の角度に看板や案内板を設定することができる。
【００３４】
図８は、本発明に係る自在接合装置を水密構造とし、キッチンの流し場や風呂場のような水場で用いられる石鹸箱８０に用いた例である。石鹸箱８０の箱（筐体）８２に固定された本発明に係る自在接合装置８４と蓋８１に固定された本発明に係る自在接合装置８３とによって水が掛かってもサビない丁番として本発明に係る自在接合装置を応用することができる。なお、図８の斜線部に本発明に係る自在接合装置を用いている例である。ここでは一例として石鹸箱に本発明を適用した場合を説明したが、本発明はこれに限らず、各種用途の容器（収容体）、構造物、遮蔽体、乗物、輸送・搬送体等に用いることが可能である。
【符号の説明】
【００３５】
１…本発明に係る自在接合装置、１０…磁石、１０ａ，１０ｂ…磁石、１１…非磁性体封入容器、１１ａ，１１ｂ…非磁性体封入容器、１２，１３…間仕切り板、７０…表示板、７１…スチール棚、８０…石鹸箱、８１…蓋、８２…箱、８３，８４…本発明に係る水密構造の自在接合装置
【図１−１】
0005563510.tif 000002
【図１−２】
0005563510.tif 000003
【図１−３】
0005563510.tif 000004
【図１−４】
0005563510.tif 000005
【図２−１】
0005563510.tif 000006
【図２−２】
0005563510.tif 000007
【図２−３】
0005563510.tif 000008
【図３−１】
0005563510.tif 000009
【図３−２】
0005563510.tif 000010
【図３−３】
0005563510.tif 000011
【図３−４】
0005563510.tif 000012
【図４−１】
0005563510.tif 000013
【図４−２】
0005563510.tif 000014
【図４−３】
0005563510.tif 000015
【図４−４】
0005563510.tif 000016
【図４−５】
0005563510.tif 000017
【図５−１】
0005563510.tif 000018
【図５−２】
0005563510.tif 000019
【図６−１】
0005563510.tif 000020
【図６−２】
0005563510.tif 000021
【図７−１】
0005563510.tif 000022
【図７−２】
0005563510.tif 000023
【図８】
0005563510.tif 000024